(57)【要約】【課題】  インクジェット記録装置における、主走査方向における着弾位置ズレ量の差を補正する。【解決手段】  記録媒体の搬送方向と交差する主走査方向に、記録素子列を有する記録ヘッドを走査させて記録を行うインクジェット記録装置において、記録媒体１０１の両端付近に、往路と復路とで吐出されたインクの着弾位置のずれ量を検出すべく、往路と復路でのインクの吐出タイミングを段階的に異ならせた複数のパターン（ａ）Ｌ〜（ｉ）Ｌ及び（ａ）Ｒ〜（ｉ）Ｒを含む、アライメントパターンを記録し、少なくとも２つの主走査方向位置それぞれに関して、アライメントパターンのうち着弾位置のずれ量が最小のパターンを検出し、検出されたパターンの情報に基づいて、記録素子の駆動タイミングの調整値を求め、調整値に基づいて前記記録素子の駆動を制御する。【選択図】  図１
2006167995.tif 000002
【特許請求の範囲】
【請求項１】
記録媒体の搬送方向と交差する主走査方向に、それぞれからインクを吐出する記録素子からなる記録素子列を有する記録ヘッドを走査させて記録を行うインクジェット記録装置であって、
記録媒体の少なくとも２つの主走査方向位置それぞれに、前記記録素子から吐出されたインクの着弾位置のずれ量を検出すべく、インクの吐出タイミングを段階的に異ならせた複数のパターンを含む、アライメントパターンを記録するパターン記録手段と、
前記少なくとも２つの主走査方向位置それぞれに関して、前記アライメントパターンのうち前記着弾位置のずれ量が最小と判定されたパターンの情報が入力されたときに、該情報に基づいて、前記記録素子の駆動タイミングの調整値を求める調整値算出手段と、
前記調整値に基づいて前記記録素子の駆動を制御する制御手段と、を備えることを特徴とするインクジェット記録装置。
【請求項２】
前記パターン記録手段は、各パターン間に搬送方向に所定の間隔を置いて前記複数のパターンを記録することを特徴とする請求項１に記載のインクジェット記録装置。
【請求項３】
各パターンは、往路方向の主走査で記録されたドットの組と、復路方向の主走査で記録されたドットの組とを含むことを特徴とする請求項１又は２に記載のインクジェット記録装置。
【請求項４】
前記記録ヘッドは複数の記録素子列を有し、
各パターンは、第１の記録素子列によって記録されたドットの組と、第２の記録素子列によって記録されたドットの組とを含むことを特徴とする請求項１又は２に記載のインクジェット記録装置。
【請求項５】
各記録素子列から異なるインクを吐出することを特徴とする請求項４に記載のインクジェット記録装置。
【請求項６】
前記少なくとも２つの主走査方向位置は、記録媒体の両端付近の位置を含むことを特徴とする請求項１から５のいずれか１項に記載のインクジェット記録装置。
【請求項７】
前記少なくとも２つの主走査方向位置は、記録媒体を主走査方向に複数に分割した領域それぞれの中央付近であることを特徴とする請求項１から５のいずれか１項に記載のインクジェット記録装置。
【請求項８】
前記調整値算出手段は、前記少なくとも２つの主走査方向位置毎に、前記調整値を求めることを特徴とする請求項１から７のいずれか１項に記載のインクジェット記録装置。
【請求項９】
前記調整値算出手段は、前記少なくとも２つの主走査方向位置に対応した領域を細分化した区間毎に、前記調整値を求めることを特徴とする請求項１から７のいずれか１項に記載のインクジェット記録装置。
【請求項１０】
前記着弾位置のずれ量が最小のパターンを検出する検出手段を更に備えることを特徴とする請求項１から９のいずれか１項に記載のインクジェット記録装置。
【請求項１１】
前記検出手段は、濃度が最も高いパターンを、前記着弾位置のずれ量が最小のパターンとして検出することを特徴とする請求項１０に記載のインクジェット記録装置。
【請求項１２】
前記検出手段は、発光手段と、該発光手段から照射されて記録媒体で反射した光を受光する受光手段と、を含むことを特徴とする請求項１１に記載のインクジェット記録装置。
【請求項１３】
記録媒体の搬送方向と交差する主走査方向に、それぞれからインクを吐出する記録素子からなる記録素子列を有する記録ヘッドを走査させて記録を行うインクジェット記録装置における着弾位置の補正方法であって、
記録媒体の少なくとも２つの主走査方向位置それぞれに、前記記録素子から吐出されたインクの着弾位置のずれ量を検出すべく、インクの吐出タイミングを段階的に異ならせた複数のパターンを含む、アライメントパターンを記録するパターン記録工程と、
前記少なくとも２つの主走査方向位置それぞれに関して、前記アライメントパターンのうち前記着弾位置のずれ量が最小のパターンを検出する検出工程と、
前記着弾位置のずれ量が最小と判定されたパターンの情報に基づいて、前記記録素子の駆動タイミングの調整値を求める調整値算出工程と、
前記調整値に基づいて前記記録素子の駆動を制御する制御工程と、を備えることを特徴とするインクジェット記録装置における着弾位置の補正方法。
【請求項１４】
前記パターン記録工程で、各パターン間に搬送方向に所定の間隔を置いて前記複数のパターンを記録することを特徴とする請求項１３に記載のインクジェット記録装置における着弾位置の補正方法。
【請求項１５】
前記検出工程は、濃度が最も高いパターンを、前記着弾位置のずれ量が最小のパターンとして検出することを特徴とする請求項１３又は１４に記載のインクジェット記録装置における着弾位置の補正方法。
【請求項１６】
請求項１３から１５のいずれか１項に記載のインクジェット記録装置における着弾位置の補正方法を、コンピュータ装置で実現するコンピュータプログラム。
【請求項１７】
請求項１６に記載のコンピュータプログラムを格納したコンピュータ可読記憶媒体。
【発明の詳細な説明】
【技術分野】
【０００１】
本発明はインクジェット記録装置及び該記録装置における着弾位置の補正方法に関し、より詳細には、インクジェット記録装置における主走査方向での着弾位置ズレ量の誤差をアライメントパターンを用いて補正する技術に関する。
【背景技術】
【０００２】
インクジェット記録装置は、ノンインパクト型の記録装置であって、騒音が少ないこと、多色のインクを使うことによってカラー画像記録も容易であること等の特徴を有しており、近年急速に普及しつつある。
【０００３】
インクジェット記録装置においては、記録速度向上のために、複数の記録素子を集積配列してなる記録ヘッドとして、インク吐出口および液路を複数集積したインクジェット記録ヘッドが用いられている。また、副走査方向における記録媒体の間欠的な搬送動作と、副走査方向と交差する主走査方向における記録ヘッドの往復移動（走査）を繰り返しながら、記録媒体に順次画像を記録する方式においては、記録ヘッドが往路（往方向）と復路（復方向）の双方向の移動時に記録動作（以下、「往復記録動作」ともいう）をしたり、記録ヘッドを複数備えることによって、記録速度の向上が図られている。
【０００４】
しかし、特に、複数の記録ヘッドを用いて往復記録動作を実施した場合には、記録ヘッドの往路移動時の記録（以下、「往路記録」という）と復路移動時の記録（以下、「復路記録」という）において、それぞれの記録ヘッドの駆動タイミングを調整しなければ、最適な画像を記録することができない。すなわち、往路記録時と復路記録時においては、複数の記録ヘッドによる記録媒体上の記録位置がずれることがあり、この場合には、記録画像の濃度ムラが生じて画質の低下を招くおそれがある。
【０００５】
そのため、複数の記録ヘッドを備えた場合には、往路記録時および復路記録時において、それら複数の記録ヘッドの記録位置を相互に調整する必要がある。具体的には、記録ヘッドの駆動タイミング、あるいは記録ヘッドの搭載位置などを調整する必要がある。
【０００６】
この様な課題を解決すべく、特開平８−１１２９０９号公報（特許文献１）には、記録装置の記録ヘッドに搭載されたインクタンクの一面を光学センサーで読みとる構成とし、インクの残量検知と共に、記録ヘッド部と搬送路中の用紙基準位置との紙間距離（ギャップ）を検出する手段を兼ね備えた記録装置が開示されている。
【０００７】
また、特開平１１−２９１４７０号公報（特許文献２）には、光学センサーを有する記録装置において、記録用紙に相対的にドットをずらして記録したパターンの反射濃度を読みとる事で、自動的に記録装置のドットアライメント調整を行うことが開示されている。
【０００８】
特開２００３−２４６０４８号公報（特許文献３）にも同様に、光学センサーによって、記録用紙に記録した複数色のパターンの反射濃度を読み取って、複数色毎のパターン間距離を検出することで、自動的に記録装置のドットアライメント調整を行うことが開示されている。
【特許文献１】特開平８−１１２９０９号公報
【特許文献２】特開平１１−２９１４７０号公報
【特許文献３】特開２００３−２４６０４８号公報
【発明の開示】
【発明が解決しようとする課題】
【０００９】
しかしながら、特許文献１に開示された記録装置では、記録装置の機構部品の基準精度の位置を読みとることによって紙間距離を検出することはできるが、実際の記録ヘッドのインク吐出時の着弾位置ズレにはその他の部品や駆動タイミングに起因する誤差が含まれるため、インクの着弾位置ズレを補正するには不十分である。
【００１０】
また、特許文献２及び３に開示された記録装置では、実際のインク吐出時の着弾位置ズレを補正するが、いずれもパターンを記録した位置におけるドットアライメントを調整するものであり、記録装置の画像記録範囲（走査範囲）内における機構的寸法誤差を含めた着弾位置ズレ量の差の補正は考慮されていない。
【００１１】
例えば、記録用紙との紙間距離（ギャップ）に関しては、記録ヘッドを主走査方向に移動させるためのシャフトやガイドレールなどの部品の精度だけでなく、記録用紙保持部材及び記録用紙搬送ローラなどの記録用紙搬送機構の精度が影響するため、記録ヘッドの走査方向に対してギャップ並行度と呼ばれる誤差が生じ、具体的にはギャップ中心値が１．４ｍｍの場合、製造工程内での並行度の許容範囲として、±０．１ｍｍ（レンジで０．２ｍｍ）程度の公差が設定されている。また、低コストの記録装置に至っては、更に並行度の公差が広がる傾向となる。
【００１２】
この他にも、記録ヘッドの走査方向における位置毎に記録ヘッドが上下方向にゆらぐスリップ現象や、記録ヘッドのインク連続吐出時の吐出速度の変動など、機械的寸法以外の誤差によっても、着弾位置ズレ量が記録ヘッドの主走査方向において差が生じる。
【００１３】
更に、主走査方向における着弾位置ズレ量の差が異なるのは、往復記録における往路デ記録されるドットと復路で記録されるドットとに限らず、例えば、複数のノズル列を有する構成でも、上記のように紙間距離が主走査方向において変化する場合にはノズル列間での着弾位置ズレの量も主走査方向で変化する。
【００１４】
本発明は以上のような状況に鑑みてなされたものであり、インクジェット記録装置における、主走査方向における着弾位置ズレ量の差を補正することを目的とする。
【課題を解決するための手段】
【００１５】
上記目的を達成する本発明の一態様としてのインクジェット記録装置は、記録媒体の搬送方向と交差する主走査方向に、それぞれからインクを吐出する記録素子からなる記録素子列を有する記録ヘッドを走査させて記録を行うインクジェット記録装置であって、
記録媒体の少なくとも２つの主走査方向位置それぞれに、前記記録素子から吐出されたインクの着弾位置のずれ量を検出すべく、インクの吐出タイミングを段階的に異ならせた複数のパターンを含む、アライメントパターンを記録するパターン記録手段と、
前記少なくとも２つの主走査方向位置それぞれに関して、前記アライメントパターンのうち前記着弾位置のずれ量が最小と判定されたパターンの情報が入力されたときに、該情報に基づいて、前記記録素子の駆動タイミングの調整値を求める調整値算出手段と、
前記調整値に基づいて前記記録素子の駆動を制御する制御手段と、を備えている。
【００１６】
上記目的を達成する本発明の別の態様としてのインクジェット記録装置における着弾位置の補正方法は、記録媒体の搬送方向と交差する主走査方向に、それぞれからインクを吐出する記録素子からなる記録素子列を有する記録ヘッドを走査させて記録を行うインクジェット記録装置における着弾位置の補正方法であって、
記録媒体の少なくとも２つの主走査方向位置それぞれに、前記記録素子から吐出されたインクの着弾位置のずれ量を検出すべく、インクの吐出タイミングを段階的に異ならせた複数のパターンを含む、アライメントパターンを記録するパターン記録工程と、
前記少なくとも２つの主走査方向位置それぞれに関して、前記アライメントパターンのうち前記着弾位置のずれ量が最小のパターンを検出する検出工程と、
前記着弾位置のずれ量が最小と判定されたパターンの情報に基づいて、前記記録素子の駆動タイミングの調整値を求める調整値算出工程と、
前記調整値に基づいて前記記録素子の駆動を制御する制御工程と、を備えている。
【００１７】
すなわち、本発明では、記録媒体の搬送方向と交差する主走査方向に、それぞれからインクを吐出する記録素子からなる記録素子列を有する記録ヘッドを走査させて記録を行うインクジェット記録装置において、記録媒体の少なくとも２つの主走査方向位置それぞれに、記録素子から吐出されたインクの着弾位置のずれ量を検出すべく、インクの吐出タイミングを段階的に異ならせた複数のパターンを含む、アライメントパターンを記録し、少なくとも２つの主走査方向位置それぞれに関して、アライメントパターンのうち着弾位置のずれ量が最小のパターンを検出し、検出されたパターンの情報に基づいて、記録素子の駆動タイミングの調整値を求め、調整値に基づいて前記記録素子の駆動を制御する。
【００１８】
このようにすると、例えば、紙間距離などの主走査方向における機械的寸法誤差がある場合に生じる、主走査方向における着弾位置ずれ量の差を補正して低減させることができ、記録画質が向上する。
【００１９】
また、上記目的は上記の方法をコンピュータ装置で実現するコンピュータプログラム、及び該コンピュータプログラムを記憶したコンピュータ可読記憶媒体によっても達成される。
【発明の効果】
【００２０】
本発明によれば、例えば、紙間距離などの主走査方向における機械的寸法誤差がある場合に生じる、主走査方向における着弾位置ずれ量の差を補正して低減させることができ、記録画質が向上する。
【発明を実施するための最良の形態】
【００２１】
以下に、添付図面を参照して、本発明の好適な実施の形態を例示的に詳しく説明する。ただし、以下の実施形態に記載されている構成要素はあくまで例示であり、本発明の範囲をそれらのみに限定する趣旨のものではない。
【００２２】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２３】
また、「記録媒体」（「記録用紙」と言う場合もある）とは、一般的な記録装置で用いられる紙のみならず、広く、布、プラスチック・フィルム、金属板、ガラス、セラミックス、木材、皮革等、インクを受容可能なものも表すものとする。
【００２４】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２５】
またさらに、「ノズル」（「記録素子」と言う場合もある）とは、特にことわらない限り吐出口ないしこれに連通する液路およびインク吐出に利用されるエネルギーを発生する素子を総括して言うものとする。
【００２６】
［第１の実施形態］
以下、本発明に係るインクジェット記録装置の第１の実施形態について説明する。
【００２７】
＜記録装置の全体構成＞
図１４は、本発明に係るインクジェット記録装置の全体構成を示す概略斜視図である。
【００２８】
図１４に示すように、キャリッジ２は駆動モータ１１の正逆回転を２つの駆動力伝達ギヤ９，１０を介してリードスクリュー５に伝達することで、キャリッジ２は図示矢印ａ方向及びｂ方向に往復移動される。キャリッジ２は、記録用のインクを収容するインクタンク（不図示）と記録用紙３０に向けてインクを吐出する記録ヘッド（不図示）とが一体になったインクジェットカートリッジ１が搭載されており、インクジェットカートリッジ１に対向して、記録用紙３０を搬送するためのプラテン４が回転自在に設けられている。プラテン４によって搬送された記録用紙３０は、インクジェットカートリッジ１と対向する側において紙押さえ板３によりプラテン４に押圧されて、インクジェットカートリッジ１との間隔が所定の間隔となるように保持される。そして、駆動モータ１１によりキャリッジ２を移動させつつ、記録ヘッドからインクを吐出する記録動作は、記録制御手段２２からの制御に基づいて行われる。
【００２９】
キャリッジ２の移動方向の図示左側には、２つのフォトカプラ７、８が設けられている。これら各フォトカプラ７、８は、キャリッジ２の図示左端部に設けられたレバー６のこの域での存在を確認して、駆動モータ１１の回転方向切り換え等を行うためのホームポジション検知手段である。
【００３０】
インクジェットカートリッジ１の記録動作における往復動作の範囲外で、吸引動作の際にインクジェットカートリッジ１が移動される位置には、キャップ支持部材１４に支持されたキャップ部材１３が設けられている。キャップ部材１３はインクジェットカートリッジ１の記録ヘッドの前面（吐出口面）をキャップするもので、この状態で吸引手段１２によりキャップ部材１３内の吸引を行うことで、記録ヘッド内の増粘インクや気泡を除去する等のヘッド回復動作が行われる。
【００３１】
キャップ部材１３の側方には、ブレード支持部材１６に支持されたクリーニングブレード１５が設けられている。クリーニングブレード１５はブレード支持部材１６に、インクジェットカートリッジ１に向けて突出可能に支持され、記録ヘッドの前面との当接が可能となっている。これにより、吸引動作後に、クリーニングブレード１５をインクジェットカートリッジ１の移動経路中に突出させ、インクジェットカートリッジ１の移動に伴って記録ヘッド前面の汚れ等を拭き取る。クリーニングブレード１５はこの形態に限らず、周知のクリーニングブレードが適用できる。
【００３２】
＜記録ヘッド＞
ここで、上述した記録ヘッドについて図１５を参照して説明する。図１５は、図１４に示したインクジェットカートリッジ１の記録ヘッドの要部斜視図である。記録ヘッドには、図１５に示すように記録用紙３０（図１４参照）と所定の間隔をおいて対向する面に、Ｙ（イエロー）、Ｍ（マゼンタ）、Ｃ（シアン）、Ｂｋ（黒）、それぞれのインクを吐出する吐出口１ｂＹ、１ｂＭ、１ｂＣ、１ｂＫが、所定のピッチで複数形成されている。
【００３３】
共通液室１ｃと各吐出口１ｂとを連結する各液路１ｄの壁面に沿って、インク吐出用のエネルギーを発生するための電気熱変換体１ｅが配設されている。共通液室１ｃは、前述したインクジェットカートリッジ１（図１４参照）のインクタンクと連結しており、共通液室１ｃにはインクタンクからインクが供給される構成となっている。インクタンクから共通液室１ｃに供給されて一時的に貯えられたインクは、毛管現象により液路１ｄに侵入し、吐出口１ｂでメニスカスを形成して液路１ｄを満たした状態を保つ。このとき、電極（不図示）を介して電気熱変換体１ｅが通電されて発熱すると、電気熱変換体１ｅ上のインクが急激に加熱されて液路１ｄ内に気泡が発生し、この気泡の膨張により吐出口１ｂからインクが吐出される。
【００３４】
＜制御構成＞
次に、装置構成の各部の記録制御を実行するための制御構成について、図１６に示すブロック図を参照して説明する。
【００３５】
制御回路を示す同図において、３１０は記録信号を入力するインターフェ−ス、３１１はＭＰＵ、３１２はＭＰＵ３１１が実行する制御プログラムを格納するプログラムＲＯＭ、３１３は各種データ（上記記録信号や記録ヘッドに供給される記録データ等）を保存しておくダイナミック型のＲＡＭであり、記録ドット数や、インクジェットカートリッジ１の交換回数等も記憶できる。３１４は記録ヘッド３１８に対する記録データの供給制御を行うゲートアレイであり、インターフェース３１０、ＭＰＵ３１１、ＲＡＭ３１３間のデータの転送制御も行う。３２０はキャリッジ２を搬送するためのキャリアモータ、３１９は記録用紙搬送のための搬送モータである。３１５は記録ヘッド３１８を駆動するヘッドドライバ、３１６、３１７は夫々搬送モータ１９、キャリアモータ３２０を駆動するモータドライバである。
【００３６】
図１７は、図１６の記録ヘッド３１８に関する電気的構成を示す回路図である。ゲートアレイ３１４は、データラッチ１４１、セグメント（ＳＥＧ）シフトレジスタ１４２、マルチプレクサ（ＭＰＸ）１４３、コモン（ＣＯＭ）タイミング発生回路１４４、デコーダ１４５を有する。記録ヘッド３１８は、ダイオードマトリックス構成を取っており、コモン信号ＣＯＭとセグメント信号ＳＥＧが一致したところの電気熱変換体（Ｈ１からＨ１２８）に駆動電流が流れ、これによりインクが加熱され吐出する。
【００３７】
上記デコーダ１４５は、上記コモンタイミング発生回路１４４が発生したタイミングをデコードして、コモン信号ＣＯＭ１〜８のいずれか１つを選択する。データラッチ１４１はＲＡＭ３１３から読み出された記録データを８ビット単位でラッチし、この記録データをマルチプレクサ１４３はセグメントシフトレジスタ１４２に従い、セグメント信号ＳＥＧ１〜８として出力する。マルチプレクサ１４３からの出力は、１ビット単位、２ビット単位、または８ビット全てなど、シフトレジスタ１４２の内容によって種々変更することができる。
【００３８】
上記制御構成の動作を説明すると、インターフェース３１０に記録信号が入るとゲートアレイ３１４とＭＰＵ３１１との間で記録信号がプリント用の記録データに変換されると同時に、記録データに加え、記録ヘッドの保守を目的とした保守吐出用の記録データが組み込まれた保守吐出用データが生成される。そして、モータドライバ３１６、３１７が駆動されるとともに、ヘッドドライバ３１５に送られた駆動用データに従って記録ヘッドが駆動され、記録が行われる。
【００３９】
＜ドットアライメント処理＞
図３は、本実施形態におけるドットアライメント処理のフローチャートである。本実施形態では、ユーザの指示などに応じた開始命令により、記録装置がドットアライメント処理に移行すると、ステップＳ２０１でドットアライメントシーケンスの実行が開始される。
【００４０】
なお、ここで記録装置の記録ヘッドの回復動作を事前に行うなど、吐出状態を確実にするための動作や制御を介在させることは任意に可能である。
【００４１】
（ドットアライメントパターンの記録）
本実施形態のドットアライメントパターンは、図１に示すプリントパターンで構成される。図１において記録用紙１０１に対し、記録ヘッドの移動方向（主走査方向とも称す）は１１１の往路方向、１１２の復路方向となる。矢印１１０は記録用紙の搬送方向（副走査方向とも称す）を示す。
【００４２】
本実施形態におけるドットアライメントパターンは、以下で詳述するように、記録ヘッドの主走査方向における、往路方向および復路方向時の記録インクの着弾位置ズレを補正するために、主走査方向の両端付近に往方向と復方向での着弾位置ズレの量を視認できるようなパターン１００を含んでいる。
【００４３】
次に、ステップＳ２０２において記録用紙内のプリント領域分割を実施する。本実施形態においては定義済み処理として、分割数ｎ＝２とする。
【００４４】
この記録領域の分割について図１を参照して詳細に説明する。記録用紙の中心を示す中心線１１４によって記録ヘッドの走査方向に領域を２つに分け、主走査方向において異なる位置、好ましくは主走査方向の最大記録範囲の両端付近の位置に記録ヘッドのインク吐出によるパターン（パッチ）を形成する。このように本発明では主走査方向にパターンを形成する領域を分割することを特徴としている。
【００４５】
図１では、中心線１１４を境に第１のプリント領域１０２と第２のプリント領域１０３に分割している。本実施形態においては主走査方向における記録可能範囲の両端付近（記録用紙の幅方向の両端近辺）にパターンをプリントするが、このプリント領域内におけるパターンプリント位置については後述する。また、プリント領域の分割数に関しても別途後述する。
【００４６】
以下、この着弾位置ズレを補正するために使用するパターン１００をパッチと称する。記録用紙１０１を分割した第１のプリント領域１０２には、主走査方向の最大記録範囲１１３の左端に近い位置にパッチ（ａ）Ｌ〜（ｉ）Ｌを、第２のプリント領域１０３には、同様に右端に近い位置にパッチ（ａ）Ｒ〜（ｉ）Ｒを記録する。
【００４７】
図２は、各パッチ１００を詳細に示す図であり、図示されるように、各パッチは往路方向１１１の主走査で記録されるドット１０５と、復路方向１１２の主走査で記録されるドット１０６で構成される。
【００４８】
図３のフローチャートのステップＳ２０３において、往路方向のドット１０５によって第１のプリント領域にパッチ（ａ）Ｌを記録し、更に第２のプリント領域にパッチ（ａ）Ｒを記録する。そして、記録用紙１０１の副走査方向への搬送を行わずに、ステップＳ２０４に移行し、復路方向のドット１０６により第２のプリント領域にパッチ（ａ）Ｒを記録し、さらに続けて第１のプリント領域にパッチ（ａ）Ｌを記録する。
【００４９】
続いて、所定数（本例では第１及び第２のプリント領域内にそれぞれ９個）のパッチのプリントが終了したか否かを判定する（ステップＳ２０５）。終了していなければ記録用紙１０１の主走査方向への搬送を実行し、ステップＳ２０３に戻り往路方向で、第１のプリント領域に（ｂ）Ｌを、第２のプリント領域に（ｂ）Ｒをドット１０５でプリントし、ステップＳ２０４で復路方向で第２のプリント領域に（ｂ）Ｒ，および第１のプリント領域に（ｂ）Ｌをドット１０６でプリントする。
【００５０】
このようにしてステップＳ２０３およびＳ２０４を繰り返して所定数のパッチがプリントされると、ステップＳ２０５でパッチのプリントが終了したと判定される。この時点で（ｉ）Ｌ及び（ｉ）Ｒまでのパッチ１００がプリントされ、図１のように記録用紙１０１全体にドットアライメントパターンがプリントされる。
【００５１】
ここで図１の各パッチについて図２を参照して、ドット構成と、ドットアライメントを判別するためのパッチの構成について説明する。なお、図２の（ａ）は、図１の（ａ）Ｌおよび（ａ）Ｒの位置に記録するパッチの拡大図であり、２つのプリント領域の搬送方向における位置が同じ２つのパッチは同様の構成である。
【００５２】
本実施形態におけるパッチは、横２ドット縦４ドットの８つのドットの組を往路方向のドット１０５、復路方向のドット１０６で個別に構成している。但し、本実施形態にかかわらず、ユーザに対する視認性、着弾位置ズレの検出のし易さ（視認性、Ｓ／Ｎ比）に応じて複数条件の構成をとることは何ら問題ない。
【００５３】
上述のように、図２の（ａ）〜（ｉ）において、ハッチングを施したドット１０５は往路方向１１１で記録用紙１０１上に形成されるドットであり、白抜きのドット１０６は復路方向１１２で形成されるドットである。図２においては説明を容易にするためドットのハッチングの有無により、主走査方向が区別できるようにしているが、各ドットは本実施形態では同一の記録ヘッドから吐出されるインクで形成されるドットであり、ドットの色や濃さはいずれも同じである。
【００５４】
図２の（ｅ）は、理論的に往路ドット１０５からなる２つの組の中間に復路ドット１０６からなる組が１つ記録され、３つの組のドットにより縦４ドット横６ドットの領域が塗りつぶされる状態となる、ドットの相対的ずらし量が±０ｄｏｔでプリントされる場合を想定している。しかしながら、本図の例では、記録装置の機械的誤差などの影響で復路のドット１０６が左方向にわずかにずれて空白領域が生じている。
【００５５】
この理想状態を想定したパッチ（ｅ）を復路方向ドット１０６のずらし量±０ドットの想定基準とし、（ｅ）より前にプリントされる（ｄ）、（ｃ）、…、（ａ）に至るパッチでは、復路方向のドット１０６を−０．５ドット（図中左方向にドットの大きさの半分）づつ記録ヘッドの駆動タイミングをずらし量を大きくしてプリントする。反対に（ｅ）より後にプリントされる（ｆ）、（ｇ）、…、（ｉ）に至るパッチでは、復路方向のドット１０６を＋０．５ドット（図中右方向にドットの大きさの半分）づつ駆動タイミングのずらし量を大きくしてプリントする。すなわち、（ａ）〜（ｉ）まで駆動タイミングを−２．０ドットから＋２．０ドットまで＋０．５ドット単位で増やしてプリントする。
【００５６】
なお、これらの図２の（ａ）〜（ｉ）からも明らかなように、本実施形態では往復それぞれの主走査で相補的なドット形成を行うものである。従って、往復それぞれで形成されるドットの主走査方向の間隔が互いに均等となり縦４ドット横６ドットの領域が塗りつぶされる、図２の（ｆ）に示す、ずらし量＋０．５ドットがドットアライメントの合った状態となる。
【００５７】
このプリントパターンは、往路と復路でのプリント位置がずれるのに従ってプリント部における空白領域が増大し全体の濃度が低下するように設計されている。すなわち、図２の（ｆ）に示すパッチの範囲内（縦４ドット横６ドットの領域）では、エリアファクタは略１００％である。一方、図２の（ａ）や、（ｉ）に示すように復路のドット１０６位置がずれるに従い、往路のドット１０５と復路のドット１０６の重なりが大きくなるとともに、プリントされていない領域、すなわちドットによって覆われていない空白領域の面積が増大する。この結果、エリアファクタが低下するので、平均すれば全体的な濃度は減少する。
【００５８】
このように、本実施の形態ではプリント時の記録インクの駆動タイミングをずらすことにより、プリント位置をずらしているが、記録装置に供給するプリントデータにおける復路のドット形成位置をずらしてもよい。
【００５９】
また、本実施形態では、図２の（ａ）〜（ｉ）の各パッチで復路で記録するドットの主走査方向におけるずらし量を０．５ドット単位で変化させているが、記録装置の構成における機構的、駆動制御の精度等に応じて、すらし量の単位を適宜設定することができる。
【００６０】
これらのパターンの意図するところは、往復でのプリント位置が相対的にずれるのに応じてエリアファクタが減少するようにすることである。それはプリント部の濃度はエリアファクタの変化に強く依存するからである。すなわちドットが重なることにより濃度は上昇するが、プリントされていない空白領域の増加の方が、プリント部全体の平均的濃度に与える影響が大きいからである。
【００６１】
（アライメントパターンの判定）
前述までのドットアライメントパターンの記録が終了した後は、図３のフローチャートのステップＳ２０６へ移行し、図１における第１のプリント領域１０２にプリントされたパッチ（ａ）Ｌ〜（ｉ）Ｌ、および第２のプリント領域１０３にプリントされたパッチ（ａ）Ｒ〜（ｉ）Ｒを目視により確認し最大濃度のパッチをユーザに判別させる。
【００６２】
前述したエリアファクターに起因するパッチの濃度の差はユーザによって目視で判別可能であり、本実施形態の場合、濃度が最も高いパッチを、第１のプリント領域部の（ａ）Ｌ〜（ｉ）Ｌと、第２のプリント領域の（ａ）Ｒ〜（ｉ）Ｒとからそれぞれ選択するようユーザに指示する。
【００６３】
そして、ステップＳ２０７に進み、目視により濃度が最も高いと判別されたパッチに対応した情報を、記録装置と接続されているホスト機器（ＰＣ）のプリンタドライバなどのＵ／Ｉ、または記録装置に装備されたキースイッチや液晶パネルなどから入力し、記録装置に結果を通知する。
【００６４】
（アライメント結果の演算）
次に、図３のフローチャートのステップＳ２０８に移行し、ユーザによって入力された判定結果に基づいて、本発明の特徴である比較演算を行う。なお、以下では、ドットアライメントパターンの判定結果として、（ｄ）Ｌ及び（ｆ）Ｒが入力されたと想定して説明する。
【００６５】
図４は、図１のドットアライメントパターンの判定結果を記録装置の記録ヘッド走査方向に展開した結果をグラフで図示したものあり、本実施形態において、分割されたプリント領域が２つあることから、記録走査方向にはＬ、Ｒの主走査方向の端部付近におけるドットアライメントの結果をＬ、Ｒで示しており、２点を結ぶ鎖線を３０１で示している。また、グラフ中の範囲３０２及び３０４は第１及び第２のプリント領域を示し、３０３は記録装置の最大記録幅を示している。
【００６６】
ここで、記録装置の有する記録ヘッド走査方向の着弾位置ズレ量は、Ｌの位置では−０．５ドット、Ｒの位置では＋０．５ドットであるので、２点の範囲値としての記録装置内のドットずれ量は、
Ｘ＝｜―０．５−（＋０．５）｜＝｜１．０｜ドット
と演算によって算出でき、この記録装置においては、記録ヘッドの走査方向に対し、往路及び復路の主走査方向の着弾位置ズレ量が、Ｘ＝｜１．０｜ドット、の範囲で内包されていることとがわかる。
【００６７】
（ずれ量補正制御）
次に、上記で算出した結果を記録ヘッドの駆動制御にフィードバックすべく、図３のフローチャートのステップＳ２０９の処理に移行する。
【００６８】
主走査方向のパッチプリントの分割領域と対応する記録ヘッドの駆動制御区間を、記録装置内で設定し、個々の駆動制御区間に対し、着弾位置を補正するための調整値である駆動制御量を算出して割り振る。本実施形態においては、第１と第２の２つのプリント領域に対応し、それぞれを第１の駆動制御区間、第２の駆動制御区間に割り当てる。
【００６９】
なお、本実施形態においては、第１のプリント領域を第１の駆動制御区間、第２のプリント領域を第２の駆動制御区間としているが、図４に示すグラフから想定できる記録範囲内のずれ量の近似線である鎖線３０１に基づいて、最大記録幅３０１の範囲内を分割して任意の数の駆動制御区間を割り当てるようにしてもよい。図４のプリント領域範囲３０２，３０３で示した範囲内に示す第１のプリント領域、第２のプリント領域に対し、パッチを記録用紙の最外位置にプリントした本実施形態においては、アライメントの判別が最大値としてとらえる事が可能であるため、駆動制御区間をずれ量近似線３０１の中で３ないし４分割するなどの選択が可能となる。
【００７０】
図５は、この駆動制御区間に対するずらし量及び駆動制御量の割り当てを示す表である。
【００７１】
図５の制御区間しきい値は、本実施形態の２区間への割り当てとなるため、記録用紙の最大サイズ８．５”（インチ）／２の４．２５”（インチ）の位置がしきい値となり、表中の第１の制御区間は、往路方向の開始位置を基準位置とすると０〜４．２５”（インチ）、第２の駆動制御区間は、４．２６〜８．５”（インチ）の範囲を制御区間と定める。
【００７２】
また、表にはパッチアライメント結果より算出された、相対ずらし量と駆動制御量とも示されている。相対ずらし量は、それぞれの駆動制御区間について、パッチアライメント判定の結果のドットのズレ量をそのまま適用する。また、駆動制御量は、主走査範囲でのズレ量が｜１．０｜ｄｏｔであるので、各駆動制御区間におけるドットズレ量は、１．０／２＝０．５ドットとなるので、本実施形態における記録ヘッドの解像度が１ドット単位１２００ｄｐｉ＝２１．２μｍであることより、第１の駆動制御区間における復路方向時の往路方向に対する駆動制御量（相対ずらし距離）は−１０．６μｍであり、第２の駆動制御区間においては＋１０．６μｍとなる。この駆動制御量の符号は、ドットアライメントパターンの復路方向の符号と一致させる。
【００７３】
なお、記録装置内のドットずれ量や駆動制御量は、計算によって算出しても、予め用意されたテーブルから求めてもよい。
【００７４】
以上のようにして得られた各駆動制御区間に対する駆動制御量を、図３のフローチャートのステップＳ２１０において、記録装置のＲＡＭなどの所定の記憶領域へ書き込み、駆動制御区間毎の駆動制御量を確定させる。
【００７５】
以上のようにして本実施形態においては、ドットアライメントパターンに基づいて、着弾位置補正するための調整値として駆動制御量（ずらし量）を算出して往復両方向間の着弾位置ズレを補正する。
【００７６】
（変形例）
なお、本実施形態においては、ドットアライメントパターンにおける、プリント領域の分割を第１及び第２の２つの領域に分割したが、本実施形態に限らず、分割数ｎを３又は４としても問題はない。
【００７７】
また、分割したプリント領域に対するパッチのプリント位置については、本実施形態では記録用紙の最外（主走査方向両端）に近い位置とした。この様にすると、記録用紙の最外位置（両端）におけるずれ量の検出が可能となるが、例えば、記録ヘッドの駆動制御において補正量を制御領域内で平均化するためにプリント領域（駆動制御区間）内のほぼ中心位置にパッチをプリントするようにしてもよい。更には前述した駆動制御区間の分割数をパッチプリント位置に応じて増加させてもよい。
【００７８】
図６は、プリント領域を３分割し、各プリント領域の略中央にパッチをプリントしたドットアライメントパターンの例を示している。また、図７は、図６のドットアライメントパターンによる判定結果に基づいた多項近似曲線の例を示すグラフであり、図８は、図７の近似曲線に基づいて各プリント領域を２分割した６つの駆動制御区間に対する、分割しきい値、相対ずらし量、駆動制御量の例を示している。
【００７９】
また、各パッチを構成するドットの配置については、上記の実施形態で説明したパターンに限らず、記録装置の駆動精度や、記録ドットのサイズに応じて任意のパターンを選択可能である。図９及び図１０は、パッチを構成するドットの配置パターンの他の例を示している。
【００８０】
図９は、横１ドット×縦８ドットを１つの組（単位）として構成したパッチのドットアライメントパターンを示しており、（ａ）は往路と復路でのズレがない場合、（ｂ）はズレがある場合の例をそれぞれ示している。このように１つの組を横方向の記録ドット１つの最小単位とする構成は、パッチのずれ検出におけるアライメント精度の向上が見込まれる。
【００８１】
図１０は、横２ドット×縦４ドットを１つの組（単位）とし、往路と復路で記録する組を千鳥格子状に配置したパッチのドットアライメントパターンを示しており、（ａ）は往路と復路でのズレがない場合、（ｂ）はズレがある場合の例をそれぞれ示している。このようなドット配置はユーザの目視によるアライメント判定において、格子上にずれが容易に視認できるので、ユーザの判定が一層容易となる。
【００８２】
いずれにせよ、本発明におけるアライメントパターンの各パッチの構成（ドットの配置パターン）は、記録装置の機構や精度に応じて最適な構成を選択、設定可能である。特に主走査方向のずれの補正に主眼をおいたずれパッチに関しては、縦方向のドット構成の自由度は高い。
【００８３】
以上説明した実施形態によれば、記録装置の記録範囲内における記録ヘッドの主走査方向の往路と復路方向の記録ドットのズレ量が容易に検出でき、更に検出したズレ量を記録ヘッドのインク吐出タイミングの制御に反映することで、記録装置本体や記録ヘッドなどの機械的誤差に起因する、主走査方向における記録用紙へのインクドットの着弾位置ズレの誤差を補正でき、記録画像の画質が向上するという効果が得られる。
【００８４】
［第２の実施形態］
以下、本発明に係るインクジェット記録装置の第２の実施形態について説明する。第２の実施形態も第１の実施形態と同様なインクジェット記録装置であり、以下の説明では上記第１の実施形態と同様な部分については説明を省略し、第２の実施形態の特徴的な部分を中心に説明する。
【００８５】
図１１は、本発明に係る記録装置の第２の実施形態の部分断面を示す模式図である。図中２はキャリッジであり、１０１は記録用紙を示している。本実施形態では、キャリッジ２には、記録用紙１０１に照射する入射光８０４を発光する発光部８０１と、記録用紙で反射した反射光８０５を受光する受光部８０３とを有する光学センサー８０１が設けられている。本実施形態は、この光学センサー８０１を用いて、第１の実施の形態と同様なドットアライメントパターンにおける各パッチの濃度を検出することを特徴とする。
【００８６】
＜ドットアライメント処理＞
図１３は、本実施形態におけるドットアライメント処理のフローチャートである。図１３では、上記第１の実施形態に関して説明した図３のフローチャートにおける処理と同様な処理には同じ参照符号を付している。また、ドットアライメント用のプリントパターン、プリント領域の定義、および、パッチプリントによるドットアライメントなどは第１の実施形態と同様のため、詳細説明は省略する。
【００８７】
（光学センサー調整および、読みとり）
図１３のドットアライメントシーケンスが開始され、プリント領域が定義された後、ステップＳ９０２では光学センサーの調整を実施する。
【００８８】
ここで、光学センサーについて説明する。本実施形態で使用する光学センサーは、記録装置で用いるインクの色種、色調や、記録ヘッドの構成などに応じて適切に選択された光を発光するものを用いることができる。例えば、赤色ＬＥＤや、赤外線ＬＥＤといった光学センサーを選択する場合、ドットアライメントを判別する際に用いるインクの色については、光学ＬＥＤの発光する色に対し光の吸収特性に優れているブラック、シアンなどを選択し、白色ＬＥＤの光学センサーであれば、マゼンタなどのインク色を選択することで、プリントされた各パッチの十分な濃度特性、Ｓ／Ｎ比を得ることが可能となる。このように記録装置の構成にあわせて、光学センサーを選択する。
【００８９】
例えば、それぞれ異なった色のインクを吐出するノズル列を複数有する構成の記録ヘッドを用いてカラー記録を行う記録装置であれば、使用するインクの色に対応させた複数の光学センサーを備える構成、あるいは、検出対象のインクの色に合わせて発光させる光の色（波長）を切り替えることが可能な１つの光学センサを備える構成とするのが好適である。
【００９０】
次に光学センサーの調整について説明する。光学センサーの発光量、反射光の受光量に関しては、記録装置本体のＭＰＵによる制御及びＡ／Ｄ変換処理によりデジタル的に処理を行う。この光学センサーを用いてプリントパターンのアライメント判定を実施するにあたっては、入射光８０４及び反射光８０５並びに使用環境に関して、光学センサーの特性を調整する必要が生じる。例えば、外乱として記録装置外からの太陽光などが入射する環境においても、パターンの読みとりにおいて十分なＳ／Ｎ比が得られるように、光学センサーの入出力特性などを調整する必要がある。
【００９１】
このためには、例えば、記録用紙の地の部分と記録用紙上に形成されたドットとを読み取った際の受光レベルを比較して、光学センサーの閾値及び感度を調整してもよいし、キャリッジ近傍に機械的校正板などを設置して、この校正板を用いた校正を実施してもよい。この調整の方法や調整に用いる手段に関しては、これらに限ったものではなく、記録装置のＭＰＵの処理能力や、記録装置に備えられた電気的構成に応じて、発光量を段階的に変化させたり受光部のＡ／Ｄ変換レベルの補正などの可能な手段を選択すればよい。
【００９２】
以上のようにして光学センサーの調整を行っても、最適または適切なデューティも決定できなかった場合を考慮し、本実施形態では記録装置にエラー処理手段を設ける。図１３のフローチャートのステップＳ９０３で、センサーエラーと判定された場合にはこのエラー処理を行う。この場合には、調整に失敗したことと、装置の状態を確認の上調整を再度実行するよう促すメッセージを記録装置もしくはホストＰＣなどからユーザに通知する等の処理が考えられる。
【００９３】
ステップＳ９０３で、光学センサー調整でエラーが生じていなければ、第１の実施形態と同様にプリント領域を分割したドットアライメントパターン（パッチ）のプリントを１組分実施する（ステップＳ２０３、Ｓ２０４）。
【００９４】
ここで、第１の実施形態においては、記録用紙全体にドットアライメントパターンのプリントが終了するまで、記録用紙の搬送とパッチのプリントを繰り返したが、本実施形態においては、１組のパッチのプリントが終了したら、記録用紙を搬送する前に光学センサーによってパッチの読み取りを実施する。
【００９５】
図１３のフローチャートにおけるステップＳ９０４は、この光学センサーによるパッチの読み取りとその読み取り結果（反射光学濃度などのデータ）を所定の記憶領域に保持する処理を示している。
【００９６】
このように１組のパッチをプリントした後、キャリッジ２を移動させて光学センサーによるパッチの読み取り走査（スキャンとも称す）を実施し、これら一連の処理をパッチ（ａ）〜（ｉ）まで繰り返すことで、ステップＳ２０５において、記録用紙全体に渡るパッチのプリントと光学センサーによる読み取りが終了したと判定される。
【００９７】
図１２は、この光学センサーで読みとった反射光学濃度（ＯＤ値）の値をプロットしたグラフの例を示している。ここでは、第１のプリント領域のパッチの光学反射濃度を（ａ）Ｌ〜（ｉ）Ｌでプロットし、第２のプリント領域のパッチの反射光学濃度を（ａ）Ｒ〜（ｉ）Ｒでプロットしている。
【００９８】
ここで、第１のプリント領域のプロットデータに着目し、アライメントが一致したパッチを判定する処理について説明する。
【００９９】
パッチ（ａ）Ｌ〜（ｉ）Ｌは第１の実施形態と同様のドット構成であり、往路方向のドットに対して復路方向のドットの相対的ずらし量を段階的に変化させてプリントされたパッチであり、その反射光学濃度は、相対的ドットのずれが最小のパッチで最高に達し、前後のずれた状態のパッチにおいては光学濃度が下がる傾向を呈する。従って、これらの近似線８１０のピーク部が最高濃度Ｐ１を示すこととなり、このパッチ部のドット相対ずらし量が最適なドットアライメントと判定できる。
【０１００】
具体的な判定処理としては、例えば、各パッチの読み取り結果（反射光学濃度）を記憶する領域に加え、最高濃度値と対応するパッチの情報とを記憶する領域を設け、ステップＳ９０４で読み取ったパッチの濃度値がこの領域に記憶されている濃度値よりも大きければ、最高濃度値と対応するパッチの情報とを書き換える（更新する）ようにすれば、ステップＳ９０４においてこの判定処理も実行できる。
【０１０１】
この判定処理により、第１のプリント領域におけるドットアライメントの最適位置Ｐ１、および第２のプリント領域におけるドットアライメントの最適位置Ｐ２が検出できるため、第１の実施形態と同様に比較演算、および記録ヘッドの駆動制御パラメータの確定処理（Ｓ２０８〜Ｓ２１０）を順次実行する。
【０１０２】
以上のように、本実施形態によれば、ユーザの指示に応じて、もしくは記録ヘッドの交換時などのドットアライメントを実行する必要があるときに、一旦記録用紙をセットしてドットアライメントシーメンスに移行した後は、記録装置単体でドットアライメントを自動的に行うことが可能となるため、ユーザの手間や負担が減少するだけでなく、ユーザの誤判定に起因するミスアライメントを防止できるという効果が得られる。また、光学センサーによるパッチの判定は装置の構成にもよるが、光学センサーの感度や解像度、記録ドットの解像度に応じて、高精度なパッチ判定が可能となる。
【０１０３】
＜他の実施形態＞
なお、上記の実施形態では本発明によるドットアライメントとして、記録装置の主走査方向における往方向と復方向での記録位置の調整に関して説明したが、本発明に係るドットアライメントはこれに限ったものではなく、例えば、カラー記録に使用されるシアン、マゼンタ、イエローなどの異なる色のインク、あるいは同系色で濃度の異なる複数種類のインクを用いる構成では、それぞれのインクによる着弾位置の調整、さらには、同一色のインクについて複数のノズル列を有する構成における各ノズル列からの着弾位置の調整といった、走査方向における着弾位置の調整に限らず、インクジェット方式の記録装置の主走査方向の記録範囲における様々な着弾位置の調整に適用できる。
【０１０４】
また、上記の実施形態では、複数のパッチから濃度が最高のパッチ１つを着弾位置ズレ量が最小のパッチとして目視又は光学センサーによって判定（選択）するものとしたが、例えば、パッチごとのずらし量がある程度大きい場合などには、２つのパッチの濃度が同程度と判定されることがある。そのような場合には、２つのパッチのずらし量の平均を適切なずらし量として判定するようにしてもよい。
【０１０５】
本発明は、記録装置を含む複数の機器から構成される記録システムに適用しても良いし、また、一つの機器からなる記録装置に適用しても良い。
【０１０６】
なお、本発明は、前述した実施形態の機能を実現するソフトウェアのプログラム（本実施形態では図３又は図１３に示すフローチャートに対応したプログラム）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【０１０７】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【０１０８】
その場合、プログラムの機能を有していれば、オブジェクトコード、インタプリタにより実行されるプログラム、ＯＳに供給するスクリプトデータ等、プログラムの形態を問わない。
【０１０９】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１０】
その他、プログラムの供給方法としては、クライアントコンピュータのブラウザを用いてインターネットのサイトに接続し、該サイトから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるサイトからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【０１１１】
また、本発明のプログラムを暗号化してＣＤ−ＲＯＭ等の記憶媒体に格納してユーザに配布し、所定の条件をクリアしたユーザに対し、インターネットを介してサイトから暗号化を解く鍵情報をダウンロードさせ、その鍵情報を使用することにより暗号化されたプログラムを実行してコンピュータにインストールさせて実現することも可能である。
【０１１２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１１３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１１４】
【図１】本発明に係るドットアライメントパターンの例を示す図である。
【図２】図１のドットアライメントパターンの各パッチを詳細に示す図である。
【図３】第１の実施形態におけるドットアライメント処理のフローチャートである。
【図４】図１のドットアライメントパターンの判定結果の例を示すグラフである。
【図５】第１の実施形態における駆動制御区間に対するずらし量及び駆動制御量の割り当てを示す表である。
【図６】ドットアライメントパターンの変形例を示す図である。
【図７】図６のドットアライメントパターンによる判定結果に基づいた多項近似曲線の例を示すグラフである。
【図８】図７の近似曲線に基づいた分割しきい値、相対ずらし量、駆動制御量の割り当てを示す表である。
【図９】ドットアライメントパターンの別の例を示す図である。
【図１０】ドットアライメントパターンの別の例を示す図である。
【図１１】本発明に係る記録装置の第２の実施形態の部分断面を示す模式図である。
【図１２】第２の実施形態で読みとった反射光学濃度（ＯＤ値）の値をプロットしたグラフである。
【図１３】第２の実施形態におけるドットアライメント処理のフローチャートである。
【図１４】本発明に係るインクジェット記録装置の全体構成を示す概略斜視図である。
【図１５】図１４に示したインクジェットカートリッジの記録ヘッドの要部斜視図である。
【図１６】図１４の記録装置の制御構成を示すブロック図である。
【図１７】図１６の記録ヘッドに関する電気的構成を示す回路図である。
【図１】
2006167995.tif 000003
【図２】
2006167995.tif 000004
【図３】
2006167995.tif 000005
【図４】
2006167995.tif 000006
【図５】
2006167995.tif 000007
【図６】
2006167995.tif 000008
【図７】
2006167995.tif 000009
【図８】
2006167995.tif 000010
【図９】
2006167995.tif 000011
【図１０】
2006167995.tif 000012
【図１１】
2006167995.tif 000013
【図１２】
2006167995.tif 000014
【図１３】
2006167995.tif 000015
【図１４】
2006167995.tif 000016
【図１５】
2006167995.tif 000017
【図１６】
2006167995.tif 000018
【図１７】
2006167995.tif 000019